(57)【要約】【課題】本考案は、既存ライターのオリジナル性を損なうことなく、しかも、個性を際立たせることのできる形態の安定したプラスチック外装ライターを安価に提供することを目的とする。【解決手段】上述の課題を解決するために、上部に火付け部１１ａを備えるライター・タンク１１の外周面と、この前記火付け部１１ａを開閉可能なる如くタンク１１上部の一側にヒンジ連結されたカバー１２の外周面とが、各々、射出成形により成形されたプラスチック・シェル２にて被覆一体化状態に、模様Ｐ及び／又は形象Ｄにより装飾されていることにより、既存ライターのオリジナル性を損なうことなく、個性を引き立たせることのできる形態の安定した廉価なプラスチック外装ライターを実現した。【選択図】　図１
0003097111.tif 000002
【実用新案登録請求の範囲】
【請求項１】
上部に火付け部１１ａを備えるライター・タンク１１の外周面と、この前記火付け部１１ａを開閉可能なる如くタンク１１上部の一側にヒンジ連結されたカバー１２の外周面とが、各々、プラスチック・シェル２にて被覆一体化状態に装飾されていることを特徴とするプラスチック外装ライター。
【請求項２】
プラスチック・シェル２の外面所要部位に、凹凸状の装飾形象Ｄが形成されていることを特徴とする請求項１記載のプラスチック外装ライター。
【請求項３】
ライター・タンク１１外周面のプラスチック・シェル２とカバー１２外周面のプラスチック・シェル２とがインジェクション成形によって成形されたものであることを特徴とする請求項１又は２記載のプラスチック外装ライター。
【考案の詳細な説明】
【０００１】
【考案の属する技術分野】
本考案は、外観が重厚なプラスチック外装ライター、更に詳しくは、ライターのタンク及びそのカバーの外周面をプラスチック・シェルにより被覆一体化することによってライターの外観と手触り感触を改良した趣味性の高いライターに関するものである。
【０００２】
【従来の技術】
従来において、木目模様の木製カバーをライターの収容体に被覆して構成される公知例（実用新案文献１）が知られている。
【０００３】
【実用新案文献１】
実開平０５−１７３５１号公報。
【０００４】この従来技術においては、木製である為、中を刳り抜いて中空とする工程において、かなりの熟練と技術力が要求され、必然的に、少ロット生産とならざるを得ず、これに伴い、製造コストの上昇を招いていた。
【０００５】
また、木目模様をそのままデザインとして活用するか、あるいは、木製カバー表面に彫刻装飾を施すしかできず、デザイン変化の自由度と製作能率に制約があった。
【０００６】
更には、木材を素材としてカバーを加工する場合、その機能を果たす為には、一定の厚みが必要となり、構造上、嵩張感は否めず、既存のライターが持つオリジナル性を損なうことも不満となっていた。
【０００７】
これに加えて、材質上、爪で擦っただけでキズが付いたり、また、使用に伴い乾燥収縮し、特に角部に応力が集中してヒビが入り易くなる傾向があり、高価な割りには、耐久性に難点があった。
【０００８】
【考案が解決しようとする課題】
本考案は、従来において、上記の如き不都合な点があったことに鑑みて為されたものであって、合成樹脂を素材とした大量生産手段を介して、製造原価を低減することのできるプラスチック外装ライターを提供することを目的とする。
【０００９】
また、本考案の他の目的は、上記の如き木目模様を基調としたデザインにより没個性に陥ることなく、オリジナリティーを発揮することのできるプラスチック外装ライターを提供することにある。
【００１０】
また、本考案の他の目的は、既存ライターのオリジナル性を損なうことなく、しかも、個性を際立たせることのできるプラスチック外装ライターを提供することにある。
【００１１】
また、本考案の他の目的は、材質上、爪が擦れたぐらいではキズが付かず、また、使用に伴う性状変化に影響されない形態の安定したプラスチック外装ライターを提供することにある。
【００１２】
【課題解決のために採用した手段】
本考案は、前述の目的を達成する基本的解決手段として、上部に火付け部１１ａを備えるライター・タンク１１の外周面と、この前記火付け部１１ａを開閉可能なるごとくタンク１１上部の一側にヒンジ連結されたカバー１２の外周面とが各々、プラスチック・シェル２にて被覆一体化状態に装飾されていることにより使用に際し、爪で簡単にキズが付いたり、あるいは、使用に伴う性状変化を履歴することのない形態が安定したプラスチック外装ライターを実現した。
【００１３】
また、前記シェルは、材質上、既存ライターの形状に沿って被覆することができるばかりでなく、透明体とした場合には、その形態上及び色調上のオリジナル性を損なうことのないプラスチック外装ライターを実現することができる。
【００１４】
更に、前記シェル外面に装飾模様あるいは凹凸状の装飾形象を施したことにより、既存ライターのオリジナル性を損なうことなく、しかも、個性を引き立たせることのできるプラスチック外装ライターを実現した。
【００１５】
次に、具体的解決手段として、上記の如き構成において、前記シェル２は射出成形により形成されることによって、大量生産が可能となる為、製造原価を低減することのできるプラスチック外装ライターを実現した。
【００１６】
【考案の実施の形態】
以下、本考案の実施の形態を、図示例を挙げて更に詳細に説明する。
【００１７】
【第１実施形態】
図１において、符号１にて指示されるものは、既知のライターであって、火付け部１１ａを頭部に備えたタンク１１と、このタンク上部の一側にヒンジ連結されたカバー１２とから構成されている。
【００１８】
次に、図中、符号２にて指示されるものは、ポリアミドから成るプラスチック・シェルであって、ヒンジ部周辺を除いた前記ライター１のタンク１１とカバー１２の各外周面を被覆している。
【００１９】
このプラスチック・シェル２は、燃料密閉容器１１’を取り出した中空の前記ライター１を所定構造の金型にインサートして、その外周面に対し溶融樹脂を射出することにより形成されているが、成形品の取り出し時点において、ヒンジ部を介して揺動可能に、所要の開削工具によりタンク１１部分とカバー１２部分とに分離される。
【００２０】
ここで、上記の射出成形工程においては、中空となったライターの中には、入れ子が納められている為、樹脂がその中に浸入したりすることはなく、また、ライターのヒンジ部周辺にはマスキング片をあてがって、樹脂の冷却硬化後、これを取り除く構成となっている。
【００２１】
また、樹脂は、冷却硬化後収縮し、前記ライターのタンク及びカバーの対向面を挟着することになって、前記シェルのライター外周面に対する密着性を接着剤により別途確保する必要はない。このため、接着剤の見苦しい斑点が透けて見えることはなく、既存ライター本来の見栄えを損なうことはない。
【００２２】
これと同様に、樹脂はライターの形状に沿ってピッタリと被覆される為、その形態上のオリジナル性を損なうこともない。更には、前記シェルは透明とした場合には、ライターの地色を活かすこともでき、色調上のオリジナル性を損なうこともない。
【００２３】
次に、図中、符号Ｐにて指示されるものは、装飾模様であって、前記シェル２表面に絵付けされている。本実施形態において、前記装飾模様は、グラビア印刷等により絵柄を施したプラスチックフィルムを、金型内に貼り付けてこの中に樹脂を流し込むことにより、フィルムを硬化した樹脂に密着させる従来既知のインモールドラベル手法を採用している。この場合、絵柄が内面になるように成形されて、その表面はフィルムによって保護されることになる。このため使用中、絵柄が剥がれたり、あるいは、色褪せしたりすることはない。
【００２４】
【第２実施形態】
図２は、本実施形態に基づくプラスチック外装ライターの使用状態を示す斜視図である。図中、符号Ｄにて指示されるものは、凹凸状の装飾形象であって、前記タンク１１及び前記カバー１２の外面所要部位に施されている。
【００２５】
本実施形態と第１実施形態との差異は、前述の如きライターに被覆されたシェル表面の装飾にあって、その他の構成及び作用については同一である。
【００２６】
このように、射出成形と同時にシェル表面に凹凸状の起伏を施した為、ライター使用時の取扱いに頗る便利である。
【００２７】
本考案に基づくプラスチック外装ライターは、上述した実施形態に限定されるわけではなく、種々の変更が可能であって、例えば、合成樹脂製シェルの材料としてポリアミドが例示されているが、ポリエチレン・ポリスチレン等の熱可塑性樹脂あるいはユリア、メラミン等の熱硬化性樹脂を使用しても良い。
【００２８】
同じく、上記の第１実施形態においては、プラスチック・シェル表面に対する装飾模様の貼り付けに際し、インモールドラベル手法が採用されているが、熱転写法を使用して、所望の模様をカバー表面に転写することもできる。
【００２９】
更には、射出成形に際して、図３に図示の如きフックＨを同時に成形することもでき、この場合には、このフックをボックス式のシガレットケースあるいは喫煙者のズボンベルトに引っ掛けて携行することができ、ライターの所在を確認する手間を省くことができる。
【００３０】
更には、上記の実施形態においては、既存ライターのオリジナル性を重視して樹脂本来の無色透明をそのまま活かしているが、これに限定される訳ではなく、特にライターの地色が銀色あるいは白地の場合に、合成樹脂素材に顔料を添加して成形を行えば、樹脂に所要の色付けを行うことができる。
【００３１】
更にまた、上記の実施形態においては、カバー表面に装飾として絵柄及び形象の何れかが施されているが、これらを組み合わせても良い。
【００３２】
【考案の効果】
以上、説明した通り、本考案に基づくプラスチック外装ライターは既存ライターの形態上及び色調上のオリジナル性を損なうことなく、装飾性を加味して、需要者の個性を引き立たせることができる。
【００３３】
また、材質上、使用に際して、爪で簡単にキズが付いたり、あるいは、使用に伴い性状変化を履歴することもないため、形態が頗る安定している。
【００３４】
更には、機械成形によって、大量生産が可能となり、製造コストの低減を図ることができ、需要者に対して安価に供給することができる。
【図面の簡単な説明】
【図１】図１は、第１実施形態に基づくプラスチック外装ライターの使用状態を示す斜視図である。
【図２】図２は、第２実施形態に基づくプラスチック外装ライターの使用状態を示す斜視図である。
【図３】図３は、本考案に基づくプラスチック外装ライターの変形例を示す斜視図である。
【符号の説明】
Ｄ　　装飾形象
Ｌ　　外装ライター
Ｈ　　フック
Ｐ　　装飾模様
１　　既存ライター
１１　タンク
１１’燃料密閉容器
１１ａ火付け部
１２　カバー
２　　プラスチック・シェル
【図１】
0003097111.tif 000003
【図２】
0003097111.tif 000004
【図３】
0003097111.tif 000005